(57)【要約】【課題】  本発明は近年のライフスタイルの変化により家庭洋便器での小用を着座姿勢で行う男性が増えてきたなか、未だ立姿勢での小用を慣習としている男性にも違和感なく座っての小用に移行してもらえる工夫をもった、新時代に対応する便器である。【解決手段】  本発明の便器の便座は便器本体と一体になっていて解放しない。便座のロックは便座の取り付け軸によって行い、便器のサイドに設けた清掃用レバーによって解除する。また間違って便座を持ち上げられない様に便座と便器本体との隙間はほとんどなくし、便座の縁の形状も指のかかり難いものとする。加えてＵ型の緩衝材を使用する事で便座と便器の隙からの小便の漏れを完全に封鎖できる。開閉自在の便座を後から固定したのではなく、最初からそのように設計されたものである事を知らしめる事で、使用者の納得を得、トイレの清潔を計る。【選択図】図１
2008200324.tif 000002
【特許請求の範囲】
【請求項１】
男子小用を座って行うことを前提とし、それを表示し、最初から便座の一部または全部の開閉を考えないという設計で、便座本体には清掃に支障となる複雑な装置等、又は外付けの器具等を一切設けず、便座自体がロック機能を有する便器。
【請求項２】
前記便座のロックは便座の取り付け軸によって行い、便器のサイドに設けた清掃用レバーによって解除する機能を有する便器。
【請求項３】
前記便座は開閉する必要がないので便器本体との隙間はほとんどなくし、また便座の形状は指のかかり難いものとし、ロックレバーを解除するとスプリング等により縁に指がかかるように少し持ち上がり、また手で軽く押さえるか、着座することで元のロックされた状態にもどり、使用者の体重により緩衝材を介して便座と便器本体の隙が封鎖される機能を有する便器。
【発明の詳細な説明】
【技術分野】
【０００１】
この発明は、洋式便器、更に詳しくは、男性が小用する際に小便が飛散するのを防止することができる洋式便器に関する。
【背景技術】
【０００２】
従来、男性が洋式便器で小便をする場合、便座を便器本体から立上げて開放した後、便器の前に立って行っていた。
しかし男性が大便をする際に小便もする時はたいがいそのまま座ってする。つまり昨今の大型の便座形状では男性が座って小便をすること自体は何の問題もないことである。
【発明の開示】
【発明が解決しようとする課題】
【０００３】
男性が立った姿勢で小用をした際に、飛散した小便が汚す範囲は便器、床はおろか壁面にまでおよび、トイレを汚す大部分の原因になっている。
近年、一般家庭のトイレは普通の部屋と同じ様にきれいになり、水を流しての掃除が出来ない構造のものが増えてきた。
それゆえ最近は男性でも座って小用をする人も増えてきたが、依然長年の慣習でもあり男性が立って小用をするのは当然という意識がそれを阻んでいると思われる。
【課題を解決するための手段】
【０００４】
本発明は上述の課題を解決するため、当便器はその正しい使用法として男性の小用は座って行うという事を明示し、便座は便器本体と一体になっていて解放しない。便座のロックは便座の取り付け軸によって行い、便器のサイドに設けた清掃用レバーによって解除する。また間違って便座を持ち上げられない様に便座と便器本体との隙間はほとんどなくし、また便座の縁の形状も指のかかり難いものとする。肝要なのは開閉自在の便座を後から固定したのではなく、最初から開かない造りである事を使用者に知らしめる事である。
【発明の効果】
【０００５】
上述の様に、そのトイレシステムとしてのコンセプトが男性の立った姿勢での小用を物理的にまた意識的に困難とさせるため、トイレの清潔は保たれる。
【０００６】
便座は指をかけて開閉する必要がないので便器本体との隙間はほとんどなくてよい。因って、そこから小便が床に飛び散る事も少ない。
また便座を支える足をアーチ型にし、緩衝材を使う事により、使用
者の体重により完全なる封鎖を得る事ができる。
【０００７】
女性が主体の家庭においても、男性来客に安心してトイレを使ってもらう事ができ、また男性使用者も座って小用をすることについて特別の感情を抱かない。
【０００８】
当便器のシステムはシンプルであり、女性が使用する際に受ける不利益はまったくない。また複雑な装置を必要としないので清掃も容易でコスト的にも導入しやすい。
【発明を実施するための最良の形態】
【０００９】
近年普及している温水洗浄便座一体型の便器においては、その便座形状を指のかかり難いテーパのついた形にする。またロックされた状態では便座と便器本体との隙間はできるだけ狭い方がよい。また垂直面で便座と便器本体の縁は揃えておく。これも無理に開けようとしてロック部分を壊されないためと、用便が終わって立ち上がったときに衣服が引っかかって便座が持ち上がらないためである。
【００１０】
便座のロックは便座の取り付け軸にロック装置を設け、便器のサイドに設けた清掃用レバーによって解除する。清掃用レバーの位置はすこし手の届き難い所に設けるのが望ましい。また水洗用レバーとは明らかに違う形状にする。
【００１１】
便座のロックが支障なく行われるように少々の遊びを設ける必要があるため、ロックされた状態でもスプリングの作用で、便座は便器本体と完全に密着していない。これは緩衝材が便器本体に張り付くのを防ぐ効果もある。そして便座を支える足をアーチ型にし、緩衝材を使う事により、着座した使用者の体重によって完全なる封鎖を得る事ができる。図４参照。また足を設けず便座の縁に緩衝材を使い支えてもよい。いずれにしても便座に対する垂直方向の強度が増すので、便座を踏み台にし、高い棚の物を取る事もできる。
【００１２】
清掃する時はロックレバーを解除するとスプリング等により便座は指がかかる高さに持ち上がり、開けやすくなる。閉じるときはまた手で軽く押さえるか、着座することで元のロックされた状態にもどる。
【００１３】
また本来の使い方ではないが、啓蒙の進み具合によっては清掃用レバーを解除して便座を跳ね上げれば、従来の様に使う事も可能な機能も残す。
【００１４】
便器蓋の裏にわかりやすくこの便器は男性の小用は座って行うタイプである事を表示する。
【実施例】
【００１５】
以下、添付図面に従って一実施例を説明する。
図１〜図４は温水洗浄便座一体型の便器での本発明の実施例である。
図１は便座がロックされた状態である。
便座に指をかける事は難しい。図３参照
図１の清掃用レバー１を解除すると図２の如く便座が少し開く。
この状態ではロックはかかっておらず、便座に指をかけ自在に開く事ができる。また手で軽く押さえるか、着座することで元の図１の状態にもどる
【００１６】
便座のロック方法については種々考えられるが、前述の便座形状によりあまり大きな負荷はかからないので簡単な物でよい。例をあげると便座回転軸の端に小型の厚みのある円盤を設けてその外周に開けた穴にスライド棒を作用させる方法等。
【図面の簡単な説明】
【００１７】
【図１】便座がロックされた状態。
【図２】ロックを解除した状態。
【図３】便器の前端部拡大図。
【図４】清掃時、便座の裏の緩衝材。
【符号の説明】
【００１８】
１  清掃用レバー
２  水洗レバー
３  蓋板
４  便座
５  Ｕ型緩衝材
【図１】
2008200324.tif 000003
【図２】
2008200324.tif 000004
【図３】
2008200324.tif 000005
【図４】
2008200324.tif 000006